(57)【要約】  非多孔質膜ベースのエアフレッシュナーにおける使用のための香料組成物が提供される。組成物は、１以上の芳香成分；ならびに、約１７ＭＰａ１／２未満の分散溶解度パラメータ（δｄ）、約１ＭＰａ１／２から約７ＭＰａ１／２までに及ぶ極性溶解度パラメータ（δｐ）、約２ＭＰａ１／２から約７ＭＰａ１／２までに及ぶ水素結合溶解度パラメータ（δｈ）という個々のハンセン溶解度パラメータ；約３．５より小さいＣｌｏｇＰ；および約０．２から約１ｍｍＨｇまでに及ぶ蒸気圧を有する、約５重量％から約９０重量％までの液体キャリアーを包含する。【特許請求の範囲】
【請求項１】
１以上の香気成分；および
約１７ＭＰａ１／２未満の分散溶解度パラメータ（δｄ）、約１から約７ＭＰａ１／２までに及ぶ極性溶解度パラメータ（δｐ）、および約２から約７ＭＰａ１／２までに及ぶ水素結合溶解度パラメータ（δｈ）という個々のハンセン溶解度パラメータ；約３．５より小さいＣｌｏｇＰ；および約０．２から約１ｍｍＨｇまでに及ぶ蒸気圧を有する、約５重量％から約９０重量％までの液体キャリアー
を含む、非多孔質膜ベースのエアフレッシュナーにおける使用のための香料組成物。
【請求項２】
液体キャリアーが、約１７ＭＰａ１／２未満の分散溶解度パラメータ（δｄ）、約１．８から約４ＭＰａ１／２までに及ぶ極性溶解度パラメータ（δｐ）、および約３から約５ＭＰａ１／２までに及ぶ水素結合溶解度パラメータ（δｈ）という個々のハンセン溶解度パラメータ：；約１．０より小さいＣｌｏｇＰ；および約０．４から約０．６ｍｍＨｇまでに及ぶ蒸気圧を有する、請求項１に記載の香料組成物。
【請求項３】
組成物が、イソパラフィン、線状脂肪族炭化水素および飽和環状炭化水素からなる群から選択される炭化水素が実質的にない、請求項１に記載の香料組成物。
【請求項４】
組成物が、プロトン性グリコールエーテルが実質的にない、請求項１に記載の香料組成物。
【請求項５】
液体キャリアーが、式（Ｉ）
【化１】
2019500984.tif 000006
式中
Ｒ１は、ＣＨ３またはＨであり；
Ｒ１がＣＨ３である場合、Ｒ２は、Ｈであるか、またはＲ１がＨである場合、Ｒ２は、ＣＨ３であり；
Ｒ３は、ＣＨ３またはＨであり；および
Ｒ３がＣＨ３である場合、Ｒ４は、Ｈであるか、またはＲ３がＨである場合、Ｒ４は、ＣＨ３である、
に従う、完全にアルキル化されたアルキレングリコールである、請求項１に記載の香料組成物。
【請求項６】
完全にアルキル化されたアルキレングリコールが、ジプロピレングリコールジメチルエーテル（ＤＰＧＤＭＥ）である、請求項５に記載の香料組成物。
【請求項７】
１以上の芳香成分が、香料組成物の少なくとも約１５重量％の、約５個の炭素原子より大きい鎖長を有するアルキルアルコール、テルペンアルコール、および修飾テルペンまたはテルペン類似体に由来するアルコールからなる群から選択される成分を包含する、請求項１に記載の香料組成物。
【請求項８】
１以上の芳香成分が、３，７−ジメチルオクタ−６−エン−１−オール；２，６−ジメチルオクタ−７−エン−２−オール；（Ｅ）−３，７−ジメチルノナ−１，６−ジエン−３−オール；（１Ｓ，２Ｒ，４Ｒ）−１，３，３−トリメチルビシクロ［２．２．１］ヘプタン−２−オール；（Ｅ）−３，７−ジメチルオクタ−２，６−ジエン−１−オール；３，７−ジメチルオクタ−１，６−ジエン−３−オール；（Ｅ）−３，７−ジメチルノナ−１，６−ジエン−３−オール；３，７−ジメチルオクタン−１−オール；３，７−ジメチルオクタン−３−オール；２−（４−メチルシクロヘキサ−３−エン−１−イル）プロパン−２−オール；ノナン−１−オール；およびこれらの混合物からなる群から選択される、請求項７に記載の香料組成物。
【請求項９】
１以上の芳香成分が、（６，６−ジメトキシ−２，５，５−トリメチルヘキサ−２−エン）；（エチル２−（２−メチル−１，３−ジオキソラン−２−イル）アセタート）；（３−（１−エトキシエトキシ）−３，７−ジメチルオクタ−１，６−ジエン）；（（Ｚ）−ヘキサ−３−エン−１−イルメチルカーボナート）；およびこれらの混合物からなる群から選択される、請求項７に記載の香料組成物。
【請求項１０】
（ａ）筐体；および
（ｂ）香料組成物および透過性膜を包含するリザーバー、ここで香料組成物の蒸気が、前記膜を通して透過し得る、
を含むエアフレッシュナーデバイスであって、ここで香料組成物が、
１以上の芳香成分；および
約１７ＭＰａ１／２未満の分散溶解度パラメータ（δｄ）、約１から約７ＭＰａ１／２までに及ぶ極性溶解度パラメータ（δｐ）、および約２から約７ＭＰａ１／２までに及ぶ水素結合溶解度パラメータ（δｈ）という個々のハンセン溶解度パラメータ；約３．５より小さいＣｌｏｇＰ；約０．２から約１ｍｍＨｇまでに及ぶ蒸気圧を有する、約５重量％から約９０重量％までの液体キャリアー
を包含する、前記エアフレッシュナーデバイス。
【請求項１１】
透過性膜が、ポリオレフィンからなる群から選択されるポリマーを含む気体透過性膜を包含する、請求項１０に記載のエアフレッシュナーデバイス。
【請求項１２】
香料組成物が、イソパラフィン、線状脂肪族炭化水素、および飽和環状炭化水素からなる群から選択される炭化水素が実質的にない、請求項１０に記載のエアフレッシュナーデバイス。
【請求項１３】
香料組成物が、プロトン性グリコールエーテルが実質的にない、請求項１０に記載のエアフレッシュナーデバイス。
【請求項１４】
液体キャリアーが、式（Ｉ）
【化２】
2019500984.tif 000007
式中、
Ｒ１は、ＣＨ３またはＨであり；
Ｒ１がＣＨ３である場合、Ｒ２は、Ｈであるか、またはＲ１がＨである場合、Ｒ２は、ＣＨ３であり；
Ｒ３は、ＣＨ３またはＨであり；および
Ｒ３がＣＨ３である場合、Ｒ４は、Ｈであるか、またはＲ３がＨである場合、Ｒ４は、ＣＨ３である、
に従う、完全にアルキル化されたアルキレングリコールである、請求項１０に記載のエアフレッシュナーデバイス。
【請求項１５】
完全にアルキル化されたアルキレングリコールが、ジプロピレングリコールジメチルエーテル（ＤＰＧＤＭＥ）である、請求項１４に記載のエアフレッシュナーデバイス。
【請求項１６】
１以上の芳香成分が、香料組成物の少なくとも約１５重量％の、約５個の炭素原子より大きい鎖長を有するアルキルアルコール、テルペンアルコール、および修飾テルペンまたはテルペン類似体に由来するアルコールからなる群から選択される成分を包含する、請求項１０に記載のエアフレッシュナーデバイス。
【請求項１７】
１以上の芳香成分が、３，７−ジメチルオクタ−６−エン−１−オール；２，６−ジメチルオクタ−７−エン−２−オール；（Ｅ）−３，７−ジメチルノナ−１，６−ジエン−３−オール；（１Ｓ，２Ｒ，４Ｒ）−１，３，３−トリメチルビシクロ［２．２．１］ヘプタン−２−オール；（Ｅ）−３，７−ジメチルオクタ−２，６−ジエン−１−オール；３，７−ジメチルオクタ−１，６−ジエン−３−オール；（Ｅ）−３，７−ジメチルノナ−１，６−ジエン−３−オール；３，７−ジメチルオクタン−１−オール；３，７−ジメチルオクタン−３−オール；２−（４−メチルシクロヘキサ−３−エン−１−イル）プロパン−２−オール；ノナン−１−オール；およびこれらの混合物からなる群から選択される、請求項１６記載のエアフレッシュナーデバイス。
【請求項１８】
香料組成物が、１０日間の後に少なくとも１５％という蒸発速度を有する、請求項１０に記載のエアフレッシュナーデバイス。
【請求項１９】
少なくとも約２５重量％の１以上の芳香成分；および
約１０重量％から約６０重量％までの液体キャリアー
を含み；
ここで１以上の芳香成分が、約５個の炭素原子より大きい鎖長を有するアルキルアルコール、テルペンアルコール、および修飾テルペンまたはテルペン類似体に由来するアルコールからなる群から選択され；および
ここで液体キャリアーが、ジプロピレングリコールジメチルエーテル（ＤＰＧＤＭＥ）である、
膜ベースのエアフレッシュナーにおける使用のための香料組成物。
【請求項２０】
１以上の芳香成分が、３，７−ジメチルオクタ−６−エン−１−オール；２，６−ジメチルオクタ−７−エン−２−オール；（Ｅ）−３，７−ジメチルノナ−１，６−ジエン−３−オール；（１Ｓ，２Ｒ，４Ｒ）−１，３，３−トリメチルビシクロ［２．２．１］ヘプタン−２−オール；（Ｅ）−３，７−ジメチルオクタ−２，６−ジエン−１−オール；３，７−ジメチルオクタ−１，６−ジエン−３−オール；（Ｅ）−３，７−ジメチルノナ−１，６−ジエン−３−オール；３，７−ジメチルオクタン−１−オール；３，７−ジメチルオクタン−３−オール；２−（４−メチルシクロヘキサ−３−エン−１−イル）プロパン−２−オール；ノナン−１−オール；およびこれらの混合物からなる群から選択される、請求項１９に記載の香料組成物。
【発明の詳細な説明】
【技術分野】
【０００１】
本発明の分野
本開示は、香料組成物に関する。より詳細には、本開示は、非多孔質ポリオレフィン膜ベースのエアフレッシュナーにおける使用のための香料組成物に関し、香料組成物は、芳香成分の空気中への放出を改善する特定の液体キャリアーを有する。
【背景技術】
【０００２】
本発明の背景
空気中に心地良い芳香を送達する、膜ベースのエアフレッシュナーデバイスは周知である。これらのデバイスは、香料の蒸気に対して透過性である膜でシールされた、香料組成物を包含する芳香リザーバーまたはチャンバー(a fragrance reservoir or chamber)を有する筐体(a housing)からなる。膜は通常、ポリエチレンまたはポリエチレン複合材などの非多孔質ポリオレフィン（また高密度ポリオレフィンとも呼ばれる）から作製されているが、他の材料もまた可能である。デバイスは、室温にて使用され得るか（パッシブモード）、または芳香の蒸発を促進するために加熱され得るか、または膜を通して香料の蒸気を引き込むために空気流へ送られ得る（アクティブモード）。しかしながら、より一般的には、膜ベースのエアフレッシュナーデバイスは、パッシブモード下で使用される。このように、膜を通して芳香成分を拡散させる主な推進力は、芳香成分それ自体の揮発性である。
【０００３】
これが動作する間、パッシブな膜デバイスは、かかるデバイスが、典型的には、２５℃にて少なくとも０．００４ｍｍＨｇの蒸気圧を有する少なくとも７０ｗｔ％の香料成分を包含しなければならないという問題を抱えている。膜ベースのエアフレッシュナーデバイスの主たる欠点には、同じ揮発性を有するすべての芳香成分のうち、いくつかの芳香成分は、膜を通って容易かつ迅速に拡散するのに対し、他の芳香成分は、拡散しないかまたは非常にゆっくりとしか拡散しないという事実がある。これは、香料の個性の望ましくない歪みに繋がる。例えば、香料のノートは、変化することがあったり、またはバランスを失って快楽的に容認できなくなることがあったりする。その上、拡散しないかまたは膜を通してゆっくりとしか拡散しない芳香成分は、芳香リザーバー中に蓄積し、およびエアフレッシュナーデバイスが動作するのを停止した後に、例えば３０日後に、リザーバー中に残存する残渣(residues)を形成する。
【０００４】
イソパラフィン油を単独で、またはこれを極性溶媒と組み合わせて（以後、「液体キャリアー」とも称される）、芳香成分の蒸発と非多孔質ポリオレフィン膜を通る後者の輸送との両方を増強するために、香料油に加えることは、確立された方法である。しかしながら、かかる油は、リザーバーのブリスター(blister)から膜の剥離を誘発する有害な効果を有することがあり、このことが、使用の間中の液体香料漏出の可能性に繋がる。これは、極めて望ましくないことであって、これらのデバイスにおいて実際に使用され得るかかるイソパラフィン油のレベルを３５ｗｔ％以下に限定する。その上、炭化水素の使用はまた、規制当局による制約のせいで、いくつかの国において１０ｗｔ％までの限定もなれている。
【０００５】
さらに、芳香族エステル（BENZYL ACETATEなど）、またはアルキルアルコールおよび／またはテルペン由来アルコールに由来するアルキルエステル（ISONONANYL ACETATE、LINALYL ACETATE、TERPENYL ACETATEなど）から選択される、高レベルの芳香成分を液体キャリアーの代替として加えることは、芳香成分の蒸発と非多孔質ポリオレフィン膜を通る後者の輸送との両方を増強するために、確立された別の方法である。しかしながら、かかる液体キャリアーは、顕著な匂いを有し、したがって、すべての香料組成物には使用され得ない。その上、エステルの使用は、アルコールなどの問題のある特定の芳香成分に関し膜選択性の問題を解決しない。
【０００６】
その結果、膜／ブリスターのシールに影響を与えずに、パッシブな膜ベースのエアフレッシュナー適用のために要求される揮発性の範囲から最大限広く選択された芳香成分の蒸発および透過を増強する液体キャリアーを提供することが望ましいであろう。
【発明の概要】
【０００７】
本発明の概要
一態様において、非多孔質ポリオレフィン膜ベースのエアフレッシュナーにおける使用のための香料組成物は、１以上の芳香成分；および、約１７ＭＰａ１／２未満の分散溶解度パラメータ（δｄ）、約１から約７ＭＰａ１／２までに及ぶ極性溶解度パラメータ（δｐ）、および約２から約７ＭＰａ１／２までに及ぶ水素結合溶解度パラメータ（δｈ）という個々のハンセン溶解度パラメータ；約３．５より低いＣｌｏｇＰ；および約０．２から約１ｍｍＨｇまでに及ぶ蒸気圧を有する、約５重量％から約９０重量％の液体キャリアーを包含する。
【０００８】
別の態様において、エアフレッシュナーデバイスは、筐体；および香料組成物と透過性膜とを包含するリザーバーを包含し、香料組成物の蒸気は、前記透過性膜を通して透過し得る。香料組成物は、１以上の芳香成分；および、約１７ＭＰａ１／２未満の分散溶解度パラメータ（δｄ）、約１から約７ＭＰａ１／２までに及ぶ極性溶解度パラメータ（δｐ）、および約２から約７ＭＰａ１／２までに及ぶ水素結合溶解度パラメータ（δｈ）という個々のハンセン溶解度パラメータ；約３．５より低いＣｌｏｇＰ；約０．２から約１ｍｍＨｇまでに及ぶ蒸気圧を有する、約５重量％から約９０重量％までの液体キャリアーを包含する。
【０００９】
もう１つの態様において、香料組成物は、少なくとも約２５重量％の１以上の芳香成分；および約１０重量％から約６０重量％までの液体キャリアーを包含する。１以上の芳香成分は、約５個の炭素原子より大きい鎖長を有するアルキルアルコール、テルペンアルコール、および修飾テルペン(modified terpens)またはテルペン類似体に由来するアルコールからなる群から選択される。液体キャリアーは、ジプロピレングリコールジメチルエーテル（ＤＰＧＤＭＥ）である。
具体的な態様の、これらのおよび他の特色、側面および利点は、本開示を読むことにより当業者に明らかになるだろう。
【発明を実施するための形態】
【００１０】
本発明の詳細な記載
以下の本文は、本開示の無数の異なる態様の、広範な記載を記述する。すべての可能な態様を記載することは、不可能ではないにしても非現実的であろうことから、記載は、例示としてのみ解釈されるべきであり、すべての可能な態様を記載するものではない。本明細書に記載のいずれの特色、特徴、構成要素、組成物、成分、製品、ステップまたは方法論は、本明細書に記載のいずれか他の特色、特徴、構成要素、組成物、成分、製品、ステップまたは方法論から、その全部または一部を、削除され得るか、その全部または一部と組み合わせられ得るか、またはその全部または一部と置換され得ると理解されるであろう。無数の代替的な態様は、現在の技術または本特許の出願日後に開発された技術のいずれかを使用して実行され得、これらも依然としてクレームの範囲内に入る。本明細書に引用されるすべての刊行物および特許は、参照により本明細書に組み込まれる。
【００１１】
本開示は、１以上の香料成分および液体キャリアーの混合物を包含する香料組成物ならびに同組成物を含有する膜ベースのエアフレッシュナーに関する。
【００１２】
一態様において、本開示は、膜を有するエアフレッシュナーに関し、前記膜に対し、蒸気圧は類似するが異なる化学特性を有する芳香成分が、膜を通過する異なる透過速度を有する。かかる膜の非限定例は、非多孔質ポリエチレンから作製されたものである。蒸気圧は類似するが異なる化学特性を有する芳香成分の非限定例は、DIHYDROMYRCENOL（２，６−ジメチルオクタ−７−エン−２−オール）およびALLYL OANANTHATE（ヘプタン酸アリル）である。本開示のために、膜または膜エアフレッシュナーデバイスを通る香水成分の透過速度は、時間の関数としてのエアフレッシュナーデバイスの重量減少の初期傾斜と見なされ、重量パーセンテージ（ｗｔ％）／日の単位で表現される。
【００１３】
例えば、全体的にポリエチレンからなる膜を通るDIHYDROMYRCENOLの透過速度は、典型的には、０．５ｗｔ％／日未満であるが、ALLYL OANANTHATEの透過速度は、典型的には、同じ膜を通る２ｗｔ％／日より高い。これは、DIHYDROMYRCENOL対ALLYL OANANTHATEの最大透過比率０．２５に繋がり、これは１を大きく下回る。これは、膜を通り透過するDIHYDROMYRCENOLとALLYL OANANTHATEとの混合物の組成物が、時間とともに顕著に変化するであろうこと、そのため、ALLYL OANANTHATEのレベルが迅速に激減するであろう一方、DIHYDROMYRCENOLのレベルは増加するであろうことを意味する。これは、組成物の匂いの個性を、消費者に容認できないやり方で、時間とともに変化させるであろう。
【００１４】
本開示に従う膜ベースのエアフレッシュナーデバイスの具体的な設計が何であれ、デバイスが、芳香材料が一定かつ制御された速度にて環境中へ分配され得るやり方で、働くことは重要である。
【００１５】
一態様において、膜ベースのエアフレッシュナーデバイスの効率性は、特定の期間に、例えば約３０日と約５０日との間に、大気へ放出された香料の量によって決定される。この期間の間中（前記期間はまた、エアフレッシュナーデバイスの寿命とも称される）、以下の条件が満たされることが期待される：（ｉ）大気中への香料放出の速度は、連続的であり、ほぼ一定であること、すなわち放出速度は、時間とともに顕著には変化しないこと、（ｉｉ）香料のプロファイルは、ほぼ一定のままであること、すなわち香料の匂いの個性は、時間にわたって本質的に不変のままであること、および（ｉｉｉ）香料は、香料の総量がエアフレッシュナーの寿命の間中蒸発するように、放出されること、すなわちデバイス中に残る香料残渣(perfume residue)がないこと。言い換えれば、香料中のいずれの芳香成分対香料の他の芳香成分のいずれかの透過速度の比率が、できるだけ１に近くなるべきである。
【００１６】
しかしながら、経験上、かかる条件は、芳香成分が揮発性の点でおよび化学的性質の点で異なるという理由から、容易には満たされない。揮発性の点での差異は、エアフレッシュナーデバイスがその寿命の終わりに達する前に、最も揮発する成分の枯渇へ繋がることがあり、これは次に、香料の匂いの個性における変化に繋がることがある。逆に言うと、低すぎる揮発性を有する芳香成分は、エアフレッシュナーデバイスの耐用期間の間中には十分に蒸発することはなく、芳香容器(the fragrance vessel)中に残留物(residual material)を残す。化学的性質の点での差異は、膜を通る異なる透過速度へ繋がることがある。とりわけ、膜は、膜に可溶でもなく膜との相溶性もない成分に対して、不浸透であっても、または少ししか透過しない(only sparingly permeable)ものであってもよい。
【００１７】
これはまた、放たれた香料の匂いの個性における変化、およびエアフレッシュナーデバイスの寿命が終わった後の芳香容器中の残渣の発生へも繋がる。例えば、非多孔質ポリエチレンおよび非多孔質ポリプロピレンをベースとする膜などの非多孔質ポリオレフィンベースの膜を通る透過挙動(permeation behavior)の観点から最も問題のある芳香成分は、ｎ−アルキルアルコール、イソ−アルキルアルコールおよびテルペン由来のアルコールなどの線状および分岐アルコール、例えばNONANOL、DIHYDROMYRCENOL、LINALOOL等である。
【００１８】
当該技術の弱点に対処する際、出願人は驚くべきことに、飽和炭化水素が、芳香リザーバーを含むブリスターに対しポリエチレン膜を接合するシールに対して有害な影響を有し、その結果シールを通る芳香の漏出およびシールの破壊または剥離さえももたらすことを見出した。加えて、出願人は、主に、極性溶媒が非極性溶媒と同様に蒸発しないことから、および極性溶媒が、ポリエチレン膜との相溶性がなく、したがって芳香成分の透過性を制御するのに非効率であることから、極性溶媒を単独で使用することが、上文に言及された選択性という問題点を解決しないことを見出した。
【００１９】
香料組成物
本開示に従い、香料組成物は、液体キャリアーおよび１以上の芳香成分の混合物を包含する。これらの香料組成物は、膜ベースのエアフレッシュナーデバイスおよび他の類似の消費者製品において使用されてもよい。
【００２０】
液体キャリアー
本開示に従い、上に記載の問題点は、ハンセン溶解度パラメータおよび蒸気圧の具体的な組み合わせを有する液体キャリアーを使用することによって、実質的に解決されてもよい。ハンセン溶解度パラメータは、具体的な化学分子が、隣接する分子（これはまた、「環境」とも称される）といかに相互作用するかを反映する。言い換えれば、ハンセン溶解度パラメータは、１つの材料が別のに溶解し、溶液を形成するであろうかどうかを予測する手段である。
【００２１】
ハンセンに従うと、分子の、その環境との相互作用は、３つの寄与する溶解度パラメータの結果である、すなわち各分子が、３つのハンセンパラメータ：分散溶解度パラメータδｄ、これは分子間の分散型相互作用の程度を反映し、極性溶解度パラメータδｐ、これは分子間の双極子−双極子相互作用の程度を反映し、およびＨ結合溶解度パラメータδｈ、これは分子間水素結合の程度を反映する、で与えられる。溶解度パラメータは、ＭＰａ１／２単位で表現され、ここでＭＰａは、メガ−パスカルを意味する。ハンセン溶解度パラメータの根底にある理論の詳細な議論については、例えばA. F. N. M Barton、「Handbook of solubility parameters and other cohesion parameters」、第２版、CRC Press、1991年を参照。
【００２２】
出願人は、以下の溶解度パラメータ：約１７ＭＰａ１／２未満の分散ハンセンパラメータδｄ；約１から約７ＭＰａ１／２まで、別の態様において約１．５から約５ＭＰａ１／２まで、およびもう１つの態様において約１．８から約４ＭＰａ１／２まで、に及ぶ極性ハンセンパラメータδｐ；および約２から約７ＭＰａ１／２まで、別の態様において約２．５から約６ＭＰａ１／２まで、およびもう１つの態様において約３から約５ＭＰａ１／２まで、に及ぶＨ結合ハンセンパラメータδｈ、を有する液体キャリアーが、本開示に従う芳香成分を可溶化させるのに有用であることを見出した。
【００２３】
液体キャリアーの疎水性は、物理化学特性であるｌｏｇＰ値を使用して測定され得る。キャリアー溶媒のオクタノール／水の分配係数（Ｐ）は、オクタノール中のその平衡濃度と水中のそれとの間の比率である。ｌｏｇＰ値はまた、HanschおよびLeoのフラグメントアプローチ(the fragment approach)を使用しても、極めて簡便に算出され得る。これはＣｌｏｇＰとして与えられる。A. Leo、Comprehensive Medicinal Chemistry、Vol 4、C. Hanschら、295頁、Pergamon press、1990年を参照。これはｃｌｏｇＰとして与えられている。本開示に従うと、液体キャリアーは、３．５未満の、別の態様において２．５未満の、およびもう１つの態様において１．０未満の、算出されたオクタノール／水の分配係数ＣｌｏｇＰを有する。別の態様において、液体キャリアーは、約０．２から約１ｍｍＨｇまで、別の態様において約０．３から約０．８ｍｍＨｇまで、およびもう１つの態様において約０．４から約０．６ｍｍＨｇまで、に及ぶ蒸気圧を有する。
【００２４】
本開示に照らして、ハンセンパラメータは、HSPiPソフトウェア、バージョン4.0.07（www.Hansen-Solubility.com）を使用して算出された；ＣｌｏｇＰ値は、ChemDraw Ultraソフトウェア、バージョン12.0.2.1076（Cambridesoft Corp.）に組み込まれているソフトウェアを使用して算出された；および蒸気圧は、www.thegoodscentscompany.comから取られる。
【００２５】
好適なハンセン溶解度パラメータを有する液体キャリアーの非限定例は、式（Ｉ）
【化１】
2019500984.tif 000002
式中Ｒ１は、ＣＨ３またはＨであり；Ｒ１がＣＨ３である場合、Ｒ２は、Ｈであるか、またはＲ１がＨである場合、Ｒ２は、ＣＨ３であり；Ｒ３は、ＣＨ３またはＨであり；およびＲ３がＣＨ３である場合、Ｒ４は、Ｈであるか、またはＲ３がＨである場合、Ｒ４は、ＣＨ３である、に従う、完全にアルキル化されたアルキレングリコールを包含する。
【００２６】
一態様において、液体キャリアーとしての、非プロトン性溶媒の使用、例えば完全にアルキル化されたアルキレングリコールの単独での使用、すなわち飽和炭化水素またはいずれか他の非極性溶媒をそれらへ混和することのない使用は、エアフレッシュナーの膜を通る揮発成分の移動を容易にする。さらに、液体キャリアーとして、完全にアルキル化されたアルキレングリコールなどの非プロトン性溶媒を使用することは、極性プロトン性グリコールエーテルが存在しない場合であっても、膜を通るアルコールなどのプロトン性芳香成分の移動を容易にする。プロトン性グリコールエーテルに影響を及ぼす規制上の懸念が高まっていることを考慮すると、これは、本開示の大きな利点である。
【００２７】
一態様において、本開示に従う香料組成物は、少なくとも１種の非プロトン性の、完全にアルキル化されたアルキレングリコールを含む液体キャリアーを包含する。具体的な態様において、香料組成物中の完全にアルキル化されたアルキレングリコールのレベルは、約５から約９０ｗｔ％まで、別の態様において約８から約７０ｗｔ％まで、およびもう１つの態様において約１０から約６０ｗｔ％までであってもよい。
【００２８】
さらなる態様において、香料組成物は、プロトン性グリコールエーテルが実質的になくてもよい。
一態様において、非プロトン性の、完全にアルキル化されたアルキレングリコールエーテル液体キャリアーは、Dow ChemicalsからPROGLYDE DMMの商標の下で利用可能である、ジプロピレングリコールジメチルエーテル（ＤＰＧＤＭＥ）である。
【００２９】
代わりに、出願人は驚くべきことに、約３．５より低い、算出されたオクタノール／水の分配係数ＣｌｏｇＰと一緒に、約１７ＭＰａ１／２より小さい分散ハンセンパラメータ、約１から約７ＭＰａ１／２までに及ぶ極性ハンセンパラメータ、および約２から約７ＭＰａ１／２までに及ぶＨ結合ハンセンパラメータと、約０．２から約１ｍｍＨｇまでに及ぶ蒸気圧とを有する芳香成分がまた、本開示に従う膜ベースのエアフレッシュナーデバイス中、単独で使用されてもよく、またはＤＰＧＤＭＥと組み合わせて使用されてもよいことを発見した。好適な芳香成分は、これらに限定されないが、METHYL PAMPLEMOUSSE（６，６−ジメトキシ−２，５，５−トリメチルヘキサ−２−エン）；FRUCTONE（エチル２−（２−メチル−１，３−ジオキソラン−２−イル）アセタート）；ELINTAAL（３−（１−エトキシエトキシ）−３，７−ジメチルオクタ−１，６−ジエン）；LIFFAROME（（Ｚ）−ヘキサ−３−エン−１−イルメチルカーボナート）；等を包含する。
【００３０】
任意に、香料組成物は、極めて低レベルの芳香族不純物をもつ線状、分枝および環状の炭化水素の複雑な混合物である、軽度に水素化された石油蒸留物としてもまた知られている、イソパラフィンから選択される第２液体キャリアーを、最大約３５ｗｔ％まで、代わりに最大約２５ｗｔ％まで、代わりに最大約１０ｗｔ％まで含有してもよい。
【００３１】
本開示に従う好適なイソパラフィン炭化水素油は、これらに限定されないが、Ｃ８〜Ｃ９イソパラフィン（Isopar（登録商標）E、Exxonから利用可能、CAS No. 70024-92-9）；Ｃ８〜Ｃ１２イソパラフィン（SHELL SOL TS、Shellから利用可能）；Ｃ１０〜１１イソパラフィン（Isopar（登録商標）G、Exxonから利用可能、CAS No. 246538-75-0）；Ｃ１０〜１２イソパラフィン（SHELL SOL TD、Shellから利用可能、CAS No. 68551-17-7）；Ｃ１１〜Ｃ１３イソパラフィン（Isopar（登録商標）L、Exxonから利用可能、CAS No. 246538-78-3）；Ｃ１２〜Ｃ１４イソパラフィン（SOLTROL 170イソパラフィン溶媒、CPC chemから利用可能、CAS No. 68551-19-9）；Ｃ１１〜Ｃ１６イソパラフィン（Isopar（登録商標）M、Exxonから利用可能、CAS番号：64742-47-8）；イソパラフィンＣ１２〜Ｃ２０（Isopar（登録商標）V溶媒、Exxonから利用可能）；等を包含する。イソパラフィン炭化水素油およびこれらの特性のより包括的なリストについては、「Wilbur Johnson、Jr. Green Book 5 of the Cosmetic Ingredient Review (CIR) Expert Panel、August 30-31、2010」（これは本明細書に組み込まれる）を参照。
【００３２】
イソパラフィン油は一般に、高レベルの分枝炭化水素を含む。例えば、Isopar Cは、およそ８５ｗｔ％イソオクタンからなり、Isopar（登録商標）Lは、約８５ｗｔ％の分枝炭化水素を含有し、およびIsopar（登録商標）Mは、約８４ｗｔ％分枝炭化水素を含有する。一連のIsopar(The Isopar range)はまた、６ｗｔ％と１５ｗｔ％との間の環状アルカン（典型的には様々な分枝度をもつＣ６）、および１〜２ｗｔ％未満の芳香族不純物をも含有する。イソオクタン（CAS No. 540-84-1）；イソドデカン（CAS No. 141-70-8）；イソエイコサン（CAS No. 52845-07-5）およびイソヘキサデカン（CAS No. 4390-04-9）もまた、イソパラフィン炭化水素油として考慮される。
【００３３】
さらなる態様において、香料組成物は、イソパラフィン、線状脂肪族炭化水素および飽和環状炭化水素が実質的になく、このことは、それが、組成物の重量で約１０ｗｔ％以下、代わりに約５ｗｔ％以下、代わりに約１ｗｔ％以下を有することを意味する。
【００３４】
芳香成分
一態様に従うと、本開示に従う香料組成物における使用のための芳香成分は、精油、アブソリュート(absolutes)、樹脂状物質、樹脂、コンクリート(concretes)などの天然生成物、および炭化水素、アルコール、アルデヒド、ケトン、エーテル、酸、アセタール、ケタールおよびニトリルなどの合成香料構成要素（飽和および不飽和化合物、脂肪族の、炭素環のおよび複素環の化合物を包含する）から選択されても、または上のいずれの前駆体であってもよい。使用されてもよい匂い物質の組成物の他の例は、H 1468（United States Statutory Invention Registration）に、またはS. Arctander「Perfume and Flavor Chemicals：Volume 1」、Allured Publishing Corporation 1969年またはいずれかそれ以降の版、ならびにIFRA（International Perfume Research Association）データベース、およびRIFM（Research Institute of Perfume Materials）データベースに、記載されている。これらの各々は、これらの全体が参照により組み込まれる。
【００３５】
膜ベースのエアフレッシュナー香料組成物に有用である好適な芳香成分は、これらに限定されないが、2-METHYL 2-PENTENOIC ACID（２−メチル−ペンタ−２−エン酸）；ACETOIN（３−ヒドロキシブタン−２−オン）；ACETOPHENONE EXTRA（アセトフェノン）；AGRUMEX（２−（ｔｅｒｔ−ブチル）シクロヘキシルアセタート）；ALCOHOL C 9 NONYLIC（ノナン−１−オール）；ALDEHYDE C 10 DECYLIC（デカナール）；ALDEHYDE C 11 UNDECYLENIC（ウンデカ−１０−エナール）；ALDEHYDE C 12 LAURIC（ドデカナール）；ALDEHYDE C 6 HEXYLIC（ヘキサン−１−オール）；ALDEHYDE C 8 OCTYLIC（オクタナール）；ALDEHYDE C 9 NONYLIC（ノナナール）；ALLYL AMYL GLYCOLATE（アリル２−（イソペンチルオキシ）アセタート）；ALLYL CYCLOHEXYL PROPIONATE（アリル３−シクロヘキシルプロピオナート）；AMBRETTOLIDE（（Ｚ）−オキサシクロヘプタデカ−１０−エン−２−オン）；AMBROFIX（登録商標）（３ａ，６，６，９ａ−テトラメチルドデカヒドロナフト［２，１−ｂ］フラン）；ANETHOLE SYNTHETIC（（Ｅ）−１−メトキシ−４−（プロパ−１−エン−１−イル）ベンゼン）；ANJERUK（登録商標）（１−フェニルエタンチオール）；APHERMATE（１−（３，３−ジメチルシクロヘキシル）エチルホルマート）；AUBEPINE PARA CRESOL（４−メトキシベンズアルデヒド）；
【００３６】
BENZALDEHYDE（ベンズアルデヒド）；BENZYL ACETATE（酢酸ベンジル）；BICYCLO NONALACTONE（オクタヒドロ−２Ｈ−クロメン−２−オン）；BORNEOL CRYSTALS（（１Ｓ，２Ｓ，４Ｓ）−１，７，７−トリメチルビシクロ［２．２．１］ヘプタン−２−オール）；BORNYL ACETATE LIQUID（（２Ｓ，４Ｓ）−１，７，７−トリメチルビシクロ［２．２．１］ヘプタン−２−イルアセタート）；BUTYL ACETATE（酢酸ブチル）；BUTYL BUTYRO LACTATE（１−ブトキシ−１−オキソプロパン−２−イルブタノアート）；BUTYL CYCLOHEXYL ACETATE PARA（４−（ｔｅｒｔ−ブチル）シクロヘキシルアセタート）；
【００３７】
CARVONE LAEVO（２−メチル−５−（プロパ−１−エン−２−イル）シクロヘキサ−２−エノン）；CASHMERAN（登録商標）（１，１，２，３，３−ペンタメチル−２，３，６，７−テトラヒドロ−１Ｈ−インデン−４（５Ｈ）−オン）；CASSYRANE（登録商標）（５−ｔｅｒｔ−ブチル−２−メチル−５−プロピル−２Ｈ−フラン）；CEDRYL METHYL ETHER（（１Ｒ，６Ｓ，８ａＳ）−６−メトキシ−１，４，４，６−テトラメチルオクタヒドロ−１Ｈ−５，８ａ−メタノアズレン）；CETALOX（登録商標）（３ａ，６，６，９ａ−テトラメチル−２，４，５，５ａ，７，８，９，９ｂ−オクタヒドロ−１Ｈ−ベンゾ［ｅ］［１］ベンゾフラン）；CINNAMALVA（シンナモニトリル）；CINNAMIC ALDEHYDE（シンナムアルデヒド）；CINNAMYL ACETATE（酢酸シンナミル）；CITRAL TECH（（Ｅ）−３，７−ジメチルオクタ−２，６−ジエナール）；CITRONELLOL（３，７−ジメチルオクタ−６−エン−１−オール）；CITRONELLYL ACETATE（３，７−ジメチルオクタ−６−エン−１−イルアセタート）；CITRONELLYL OXYACETALDEHYDE（２−（（３，７−ジメチルオクタ−６−エン−１−イル）オキシ）アセトアルデヒド）；CONIFERAN（登録商標）（２−（ｔｅｒｔ−ペンチル）シクロヘキシルアセタート）；COUMARIN（２Ｈ−クロメン−２−オン）；CYCLAL C（２，４−ジメチルシクロヘキサ−３−エンカルバルデヒド）；CYCLAMEN ALDEHYDE（３−（４−イソプロピルフェニル）−２−メチルプロパナール）；CYCLOGALBANATE（アリル２−（シクロヘキシルオキシ）アセタート）；CYCLOHEXAL（４−（４−ヒドロキシ−４−メチルペンチル）シクロヘキサ−３−エンカルバルデヒド）；CYMENE PARA（ｐ−シメン）；CYPRISATE（メチル１，４−ジメチルシクロヘキサンカルボキラート）；
【００３８】
DAMASCENONE（（Ｅ）−１−（２，６，６−トリメチルシクロヘキサ−１，３−ジエン−１−イル）ブタ−２−エン−１−オン）；DAMASCONE ALPHA（（Ｅ）−１−（２，６，６−トリメチルシクロヘキサ−２−エン−１−イル）ブタ−２−エン−１−オン）；DAMASCONE DELTA（（Ｅ）−１−（２，６，６−トリメチルシクロヘキサ−３−エン−１−イル）ブタ−２−エン−１−オン）；DECALACTONE GAMMA（５−ヘキシルオキソラン−２−オン）；DECENAL-4-TRANS（（Ｅ）−デカ−４−エナール）；DIHYDRO EUGENOL（２−メトキシ−４−プロピルフェノール）；DIHYDRO MYRCENOL（２，６−ジメチルオクタ−７−エン−２−オール）；DIMETHYL BENZYL CARBINYL ACETATE（２−メチル−１−フェニルプロパン−２−イルアセタート）；DIMETHYL BENZYL CARBINYL BUTYRATE（２−メチル−１−フェニルプロパン−２−イルブタノアート）；DIMYRCETOL（２，６−ジメチルオクタ−７−エン−２−イルホルマート）；DODECALACTONE DELTA（６−ヘプチルテトラヒドロ−２Ｈ−ピラン−２−オン）；
【００３９】
EBANOL（登録商標）（（Ｅ）−３−メチル−５−（２，２，３−トリメチルシクロペンタ−３−エン−１−イル）ペンタ−４−エン−２−オール）；ELINTAAL（３−（１−エトキシエトキシ）−３，７−ジメチルオクタ−１，６−ジエン）；ETHYL BUTYRATE（エチルブタノアート）；ETHYL CAPRONATE（ヘキサン酸エチル）；ETHYL ISOAMYL KETONE（６−メチルヘプタン−３−オン）；ETHYL ISOVALERATE（エチル３−メチルブタノアート）；ETHYL LINALOOL（（Ｅ）−３，７−ジメチルノナ−１，６−ジエン−３−オール）；ETHYL MALTOL（２−エチル−３−ヒドロキシ−４Ｈ−ピラン−４−オン）；ETHYL METHYL-2-BUTYRATE（エチル２−メチルブタノアート）；ETHYL OENANTHATE（ヘプタン酸エチル）；ETHYL SAFRANATE（エチル２，６，６−トリメチルシクロヘキサ−１，３−ジエン−１−カルボキラート）；ETHYL VANILLIN（３−エトキシ−４−ヒドロキシベンズアルデヒド）；EUCALYPTOL（（１ｓ，４ｓ）−１，３，３−トリメチル−２−オキサビシクロ［２．２．２］オクタン）；EUGENOL（４−アリル−２−メトキシフェノール）；EVERNYL（メチル２，４−ジヒドロキシ−３，６−ジメチルベンゾアート）；
【００４０】
FENCHYL ALCOHOL（（１Ｓ，２Ｒ，４Ｒ）−１，３，３−トリメチルビシクロ［２．２．１］ヘプタン−２−オール）；FLORALOZONE（登録商標）（３−（４−エチルフェニル）−２，２−ジメチルプロパナール）；FLORHYDRAL（登録商標）（３−（３−イソプロピルフェニル）ブタナール）；FLORIDILE（登録商標）（（Ｅ）−ウンデカ−９−エンニトリル）；FLOROPAL（登録商標）（２，４，６−トリメチル−４−フェニル−１，３−ジオキサン）；FRESKOMENTHE（登録商標）（２−（ｓｅｃ−ブチル）シクロヘキサノン）；FRUCTONE（エチル２−（２−メチル−１，３−ジオキソラン−２−イル）アセタート）；GALBANONE（１−（３，３−ジメチルシクロヘキサ−１−エン−１−イル）ペンタ−４−エン−１−オン）；GARDENOL（１−フェニルエチルアセタート）；GERANIOL（（Ｅ）−３，７−ジメチルオクタ−２，６−ジエン−１−オール）；
【００４１】
HEDIONE（メチル３−オキソ−２−ペンチルシクロペンタンアセタート）；HELIOTROPINE CRYSTALS（ベンゾ［ｄ］［１，３］ジオキソール−５−カルバルデヒド）；HEXENYL ACETATE CIS-3（ｃｉｓ−ヘキサ−３−エニルアセタート）；HEXENYL-3-CIS BENZOATE（（Ｚ）−ヘキサ−３−エン−１−イルベンゾアート）；HEXENYL-3-CIS SALICYLATE（（Ｚ）−ヘキサ−３−エン−１−イル２−ヒドロキシベンゾアート）；HEXYL ACETATE（酢酸ヘキシル）；HEXYL BUTYRATE（ブタン酸ヘキシル）；HEXYL ISOBUTYRATE（イソブタン酸ヘキシル）；
【００４２】
IONONE BETA（（Ｅ）−４−（２，６，６−トリメチルシクロヘキサ−１−エン−１−イル）ブタ−３−エン−２−オン）；IRISONE PURE（（Ｅ）−４−（２，６，６−トリメチルシクロヘキサ−２−エン−１−イル）ブタ−３−エン−２−オン）；ISO E SUPER（登録商標）（１−（２，３，８，８−テトラメチル−１，２，３，４，５，６，７，８−オクタヒドロナフタレン−２−イル）エタノン）；ISOAMYL ACETATE（酢酸イソペンチル）；ISOAMYL BUTYRATE（ブタン酸イソペンチル）；ISOCYCLOCITRAL（２，４，６−トリメチルシクロヘキサ−３−エンカルバルデヒド）；ISOEUGENOL（（Ｅ）−２−メトキシ−４−（プロパ−１−エン−１−イル）フェノール）；ISOMENTHONE DL（２−イソプロピル−５−メチルシクロヘキサノン）；ISOPENTYL ISOVALERATE（イソペンチル３−メチルブタノアート）；ISOPROPYL-2 METHYL-4 THIAZOLE（２−イソプロピル−４−メチルチアゾール）；ISORALDEINE（登録商標）70（（Ｅ）−３−メチル−４−（２，６，６−トリメチルシクロヘキサ−２−エン−１−イル）ブタ−３−エン−２−オン）；
【００４３】
JASMACYCLENE（（３ａＲ，６Ｓ，７ａＳ）−３ａ，４，５，６，７，７ａ−ヘキサヒドロ−１Ｈ−４，７−メタノインデン−６−イルアセタート）；JASMATONE（登録商標）（２−ヘキシルシクロペンタノン）；
JAVANOL（登録商標）（（１−メチル−２−（（１，２，２−トリメチルビシクロ［３．１．０］ヘキサン−３−イル）メチル）シクロプロピル）メタノール）；KOHINOOL（登録商標）（３，４，５，６，６−ペンタメチルヘプタン−２−オール）；LABIENOXIME（（３Ｅ，６Ｅ）−２，４，４，７−テトラメチルノナ−６，８−ジエン−３−オンオキシム）；LEMONILE（登録商標）（（２Ｅ，６Ｚ）−３，７−ジメチルノナ−２，６−ジエンニトリル）；LIFFAROME（登録商標）（（Ｚ）−ヘキサ−３−エン−１−イルメチルカーボナート）；LINALOOL（３，７−ジメチルオクタ−１，６−ジエン−３−オール）；LINALYL ACETATE（３，７−ジメチルオクタ−１，６−ジエン−３−イルアセタート）；
【００４４】
MACEAL（ビシクロ［２．２．２］オクタ−５−エン−２−カルボキシアルデヒド）；MANZANATE（エチル２−メチルペンタノアート）；MENTHOL（２−イソプロピル−５−メチルシクロヘキサノール）；METHOXY PHENYL BUTANONE（４−（４−メトキシフェニル）ブタン−２−オン）；METHYL AMYL KETONE（ヘプタン−２−オン）；METHYL ANTHRANILATE（メチル２−アミノベンゾアート）；METHYL CINNAMATE（桂皮酸メチル）；METHYL HEPTENONE（６−メチルヘプタ−５−エン−２−オン）；METHYL HEXYL KETONE（オクタン−２−オン）；METHYL PAMPLEMOUSSE（登録商標）（６，６−ジメトキシ−２，５，５−トリメチルヘキサ−２−エン）；MUSK C14（１，４−ジオキサシクロヘキサデカン−５，１６−ジオン）；MYRCENE 90（７−メチル−３−メチレンオクタ−１，６−ジエン）；
【００４５】
NEOFOLIONE（（Ｅ）−メチルノナ−２−エノアート）；NONANYL ACETATE（酢酸ノナニル）；ORANGER CRYSTALS（１−（２−ナフタレニル）−エタノン）；OXANE（登録商標）50%/TEC（２−メチル−４−プロピル−１，３−オキサチアン）；OXYOCTALINE FORMATE（２，４ａ，５，８ａ−テトラメチル−１，２，３，４，４ａ，７，８，８ａ−オクタヒドロナフタレン−１−イルホルマート）；PARADISAMIDE（登録商標）（２−エチル−Ｎ−メチル−Ｎ−（ｍ−トリル）ブタンアミド）；PEACH PURE（５−ヘプチルジヒドロフラン−２（３Ｈ）−オン）；PELARGOL（３，７−ジメチルオクタン−１−オール）；PHENOXY ACETALDEHYDE 50（２−フェノキシアセトアルデヒド）；PHENYL ETHYL ALCOHOL（２−フェニルエタノール）；PRUNOLIDE（５−ペンチルジヒドロフラン−２（３Ｈ）−オン）；
【００４６】
RADJANOL（登録商標）（（Ｅ）−２−エチル−４−（２，２，３−トリメチルシクロペンタ−３−エン−１−イル）ブタ−２−エン−１−オール）；RASPBERRY KETONE (N112)（４−（４−ヒドロキシフェニル）ブタン−２−オン）；RESEDAL（２−（シクロヘキシルメチル）−４，４，６−トリメチル−１，３−ジオキサン）；RHUBAFURAN（登録商標）（２，４−ジメチル−４−フェニルテトラヒドロフラン）；STRAWBERRY PURE（エチルメチルフェニルグリシダート）；SYLKOLIDE（登録商標）（（Ｅ）−２−（（３，５−ジメチルヘキサ−３−エン−２−イル）オキシ）−２−メチルプロピルシクロプロパンカルボキラート）；TERPENYL ACETATE（２−（４−メチルシクロヘキサ−３−エン−１−イル）プロパン−２−イルアセタート）；TERPINEOL PURE（２−（４−メチルシクロヘキサ−３−エン−１−イル）プロパン−２−オール）；TETRAHYDRO LINALOOL（３，７−ジメチルオクタン−３−オール）；THYMOL CRYSTALS（２−イソプロピル−５−メチルフェノール）；TRANS-2-HEXENAL（Ｅ−ヘキサ−２−エナール）；TRICYCLAL（２，４−ジメチルシクロヘキサ−３−エンカルバルデヒド）；TRIFERNAL（３−フェニルブタナール）；TRIMOFIX O（登録商標）（１−（（２Ｅ，５Ｚ，９Ｚ）−２，７，８−トリメチルシクロドデカ−２，５，９−トリエン−１−イル）エタノン）；
【００４７】
UNDECAVERTOL（（Ｅ）−４−メチルデカ−３−エン−５−オール）；VANILLIN（４−ヒドロキシ−３−メトキシベンズアルデヒド）；ZINARINE（登録商標）（２−（２，４−ジメチルシクロヘキシル）ピリジン）を包含する。
【００４８】
具体的な態様において、本開示に従う膜ベースのエアフレッシュナー香料組成物は、芳香成分、例えば、AGRUMEX（２−（ｔｅｒｔ−ブチル）シクロヘキシルアセタート）；ALCOHOL C 9 NONYLIC（ノナン−１−オール）；ALDEHYDE C 10（デカナール）；ALLYL AMYL GLYCOLATE（アリル２−（イソペンチルオキシ）アセタート）；AUBEPINE PARA CRESOL（４−メトキシベンズアルデヒド）；BENZYL ACETATE（酢酸ベンジル）；BORNYL ACETATE（（２Ｓ，４Ｓ）−１，７，７−トリメチルビシクロ［２．２．１］ヘプタン−２−イルアセタート）；CINNAMIC ALDEHYDE（シンナムアルデヒド）；CITRONELLOL（３，７−ジメチルオクタ−６−エン−１−オール）；DELTA DAMASCONE（（Ｅ）−１−（２，６，６−トリメチルシクロヘキサ−３−エン−１−イル）ブタ−２−エン−１−オン）；DIHYDRO MYRCENOL（２，６−ジメチルオクタ−７−エン−２−オール）；DIMETHYL BENZYL CARBINYL BUTYRATE（２−メチル−１−フェニルプロパン−２−イルブタノアート）；DIMYRCETOL（２，６−ジメチルオクタ−７−エン−２−イルホルマート）；
【００４９】
ETHYL LINALOOL（（Ｅ）−３，７−ジメチルノナ−１，６−ジエン−３−オール）；ETHYL 2-METHYL BUTYRATE（エチル２−メチルブタノアート）；ETHYL MALTOL（２−エチル−３−ヒドロキシ−４Ｈ−ピラン−４−オン）；ETHYL OENANTHATE（ヘプタン酸エチル）；ETHYL VANILLIN（３−エトキシ−４−ヒドロキシベンズアルデヒド）；EUCALYPTOL（（１ｓ，４ｓ）−１，３，３−トリメチル−２−オキサビシクロ［２．２．２］オクタン）；EUGENOL（４−アリル−２−メトキシフェノール）；FENCHYL ALCOHOL（（１Ｓ，２Ｒ，４Ｒ）−１，３，３−トリメチルビシクロ［２．２．１］ヘプタン−２−オール）；FLORALOZONE（登録商標）（３−（４−エチルフェニル）−２，２−ジメチルプロパナール）；FRESKOMENTHE（登録商標）（２−（ｓｅｃ−ブチル）シクロヘキサノン）；FRUCTONE（エチル２−（２−メチル−１，３−ジオキソラン−２−イル）アセタート）；DECALACTONE gamma（５−ヘキシルオキソラン−２−オン）；GARDENOL（１−フェニルエチルアセタート）；GERANIOL（（Ｅ）−３，７−ジメチルオクタ−２，６−ジエン−１−オール）；
【００５０】
LINALOOL（３，７−ジメチルオクタ−１，６−ジエン−３−オール）；HEXENYL-3-CIS ACETATE（（Ｚ）−ヘキサ−３−エン−１−イルアセタート）；HEXYL ACETATE（酢酸ヘキシル）；HEXYL ACETATE（酢酸ヘキシル）；IONONE BETA（（Ｅ）−４−（２，６，６−トリメチルシクロヘキサ−１−エン−１−イル）ブタ−３−エン−２−オン）；ISOAMYL ACETATE（酢酸イソペンチル）；ISOAMYL BUTYRATE（ブタン酸イソペンチル）；ISORALDEINE 70（（Ｅ）−３−メチル−４−（２，６，６−トリメチルシクロヘキサ−２−エン−１−イル）ブタ−３−エン−２−オン）；JASMACYCLENE（（３ａＲ，６Ｓ，７ａＳ）−３ａ，４，５，６，７，７ａ−ヘキサヒドロ−１Ｈ−４，７−メタノインデン−６−イルアセタート）；LEMONILE（登録商標）（（２Ｅ，６Ｚ）−３，７−ジメチルノナ−２，６−ジエンニトリル）；LINALYL ACETATE（３，７−ジメチルオクタ−１，６−ジエン−３−イルアセタート）；
【００５１】
MACEAL（ビシクロ［２．２．２］オクタ−５−エン−２−カルボキシアルデヒド）；MANZANATE（エチル２−メチルペンタノアート）；METHYL ANTHRANILATE（メチル２−アミノベンゾアート）；METHYL CINNAMATE（桂皮酸メチル）；METHYL HEPTENONE（６−メチルヘプタ−５−エン−２−オン）；METHYL HEXYL KETONE（オクタン−２−オン）；METHYL PAMPLEMOUSSE（６，６−ジメトキシ−２，５，５−トリメチルヘキサ−２−エン）；NONANYL ACETATE（酢酸ノナニル）；PEACH PURE（５−ヘプチルジヒドロフラン−２（３Ｈ）−オン）；PELARGOL（３，７−ジメチルオクタン−１−オール）；PRUNOLIDE（５−ペンチルジヒドロフラン−２（３Ｈ）−オン）；RASPBERRY KETONE（４−（４−ヒドロキシフェニル）ブタン−２−オン）；TERPENYL ACETATE（２−（４−メチルシクロヘキサ−３−エン−１−イル）プロパン−２−イルアセタート）；TERPINEOL PURE（２−（４−メチルシクロヘキサ−３−エン−１−イル）プロパン−２−オール）；TETRAHYDRO LINALOOL（３，７−ジメチルオクタン−３−オール）；TRICYCLAL（２，４−ジメチルシクロヘキサ−３−エンカルバルデヒド）を包含する。
【００５２】
さらなる態様において、本開示に従う膜ベースのエアフレッシュナー香料組成物は、１５ｗｔ％より多くの、別の態様において２０ｗｔ％より多くの、およびもう１つの態様において約２５ｗｔ％より多くの、約５個の炭素原子より大きい鎖長を有するアルキルアルコール、およびテルペンアルコールおよび修飾テルペンまたはテルペン類似体に由来するアルコール、例えば、CITRONELLOL（３，７−ジメチルオクタ−６−エン−１−オール）；DIHYDRO MYRCENOL（２，６−ジメチルオクタ−７−エン−２−オール）；ETHYL LINALOOL（（Ｅ）−３，７−ジメチルノナ−１，６−ジエン−３−オール）；FENCHYL ALCOHOL（（１Ｓ，２Ｒ，４Ｒ）−１，３，３−トリメチルビシクロ［２．２．１］ヘプタン−２−オール）；GERANIOL（（Ｅ）−３，７−ジメチルオクタ−２，６−ジエン−１−オール）；LINALOOL（３，７−ジメチルオクタ−１，６−ジエン−３−オール）；ETHYL LINALOOL（（Ｅ）−３，７−ジメチルノナ−１，６−ジエン−３−オール）；PELARGOL（３，７−ジメチルオクタン−１−オール）；TETRAHYDRO LINALOOL（３，７−ジメチルオクタン−３−オール）；TERPINEOL PURE（２−（４−メチルシクロヘキサ−３−エン−１−イル）プロパン−２−オール）；等；およびALCOHOL C 9 NONYLIC（ノナン−１−オール）；等を包含する。
【００５３】
理論に拘泥されることは望まないが、極性芳香成分に対する透過性が非極性芳香成分に対する透過性より低くなるような選択的透過性を示す、ポリエチレン、ポリプロピレンなどの非極性非多孔質ポリマーまたはいずれのポリオレフィンまたはポリマーを含む膜を有する膜ベースのエアフレッシュナーは、膜を通る芳香成分の移動の増大をもたらすと考えられる。
【００５４】
任意成分
本開示に従う膜ベースのエアフレッシュナー香料組成物は、ETHOCELなどの、質感改変剤(texture modifying agents)、かかる増粘剤(such viscosifying agents)またはゲル化剤を包含する。一態様において、膜ベースのエアフレッシュナー香料組成物は、約１から約３ｗｔ％まで、別の態様において約１．５から約２．５ｗｔ％まで、およびもう１つの態様において約１．８から約２．０ｗｔ％までの質感改変剤を含んでもよい。
【００５５】
本開示に従う膜ベースのエアフレッシュナー香料組成物はさらに、キレート剤、例として、ジエチレントリアミンペンタ（メチレンホスホン酸）、エチレンジアミンテトラ酢酸および塩、ポリアミンカルボン酸等；酸化防止剤、例として、ペンタエリスリチルテトラ−（ジ−ｔ−ブチルヒドロキシヒドロシンナマート）、２，６−ジ−ｔｅｒｔ−ブチル−４−メチルフェノール等；ＵＶフィルター、例として、２−エチルヘキシル（２Ｅ）−３−（４−メトキシフェニル）−２−プロパノアート、エチルヘキシルメトキシシンナマート等；濃厚剤(thickeners)、例として、疎水性シリカおよびセルロース誘導体、例えばエチルセルロース等；および染料を包含し得る。
【００５６】
例
本発明の多数のバリエーションが、本開示の精神および範囲から逸脱せずに実行できるものであるところ、以下の例は、単に説明を目的として与えられたものであって、本発明の限定として解釈されるべきものでない。例４は、本開示に従う膜エアフレッシュナーに好適な香料組成物である。例１〜３は、比較するためのものである(comparative)。
【００５７】
例１〜４
香料組成物
一連の(A series of)香料組成物を、芳香成分を混合することによって調製した。香料は、表１に報告される組成を有する。
【表１】
2019500984.tif 000003
【００５８】
表１中、例に使用された液体キャリアーは、以下：例１においてISONONANYL ACETATE；例２においてBENZYL ACETATE、ISOPAR LおよびDOWANOL DPM；例３においてBENZYL ACETATE、LINALYL ACETATEおよびTERPENYL ACETATE；および例４においてDIPROPYLENE GLYCOL DIMETYL EHTER、を包含する。表１から明らかなとおり、例４は、最低レベルの液体キャリアーおよび最高レベルのアルキルおよびテルペンアルコールを有するが、依然として高レベルのアルカンおよびテルペン（この例においてLIMONENE）を有する。
【００５９】
例５〜１０
香料組成物
本開示の利益を実証するために、一連の(a series of)組成物を、LINALOOLをテルペンアルコールとして使用して調製した。組成を表２中に報告する。
【表２】
2019500984.tif 000004
【００６０】
上の組成物を、２０ｃｍ２の蒸発表面を有し、室温（約２５±２℃）にて稼働する、パッシブな、非多孔質ポリエチレン膜ベースのエアフレッシュナーデバイス中に置き、デバイスの重量減少を時間の関数としてモニターした。１０日間あたり１５％より高い重量減少速度を、適用上、容認できる（「良好」）と見なした一方で、より低い重量減少速度を、容認できない（「不良」）と見なした。重量減少速度を表３中に報告する。
【００６１】
【表３】
2019500984.tif 000005
【００６２】
これらの結果は、パッシブな膜エアフレッシュナー適用においてDPGDMEを使用する利益を実証する。例７から明らかなとおり、DPGDMEは単独で、DIPENTENE（非プロトン性成分）とLINALOOL（プロトン性成分）との両方のための優れたキャリアー溶媒である。
【００６３】
本明細書に開示される大きさ(The dimensions)および値は、列挙された正確な数値に厳密に限定されるものとして理解されるべきではない。その代わり、別段の特定がなされない限り、かかる各大きさは、列挙された値と、その値を囲む機能的に均等な範囲との両方を意味することを意図する。例えば、「４０ｍｍ」として開示された大きさは、「約４０ｍｍ」を意味することを意図する。
【００６４】
本明細書に引用されたどの書面も、いずれの相互参照または関連の特許または出願を包含するが、明示的に排除しない限りまたは別段の限定がない限り、その全体が参照により本明細書に組み込まれる。いずれの書面の引用は、それが、本明細書に開示またはクレームされるいずれの発明に関する先行技術である場合、あるいは、それが、単独で、またはいずれか他の参考文献（単数または複数）とのいずれかの組み合わせで、いずれのかかる発明を教示、示唆または開示する場合、認められない。さらに、この書類中の用語のいずれの意味または定義が、参照により組み込まれる書類中の同じ用語のいずれの意味または定義と矛盾する限りにおいて、この書類中のその用語に割り当てられた意味または定義が支配するものとする。
【００６５】
本発明の具体的な態様が説明および記載されているが、様々な他の変化および修飾が、本発明の精神および範囲から逸脱せずになされ得ることは、当業者にとっては自明であろう。したがって、添付のクレームにおいて、本発明の範囲内にあるすべてのかかる変化および修飾をカバーすることが意図される。
【国際調査報告】
2019500984.tif 000008
2019500984.tif 000009